(57)【要約】【課題】  外光反射を減らしたプラズマディスプレイパネルを提供する。【解決手段】  前面基板と、前面基板の下面に形成されたＸＹ電極と、ＸＹ電極と連結されたバス電極と、ＸＹ電極とバス電極とを埋め込む前面誘電体層と、前面基板と対向するように設置された背面基板と、背面基板の上面に形成されたアドレス電極と、アドレス電極を埋め込む背面誘電体層と、前面及び背面基板間に形成された隔壁と、隔壁によって区画された放電空間内に塗布される赤色、緑色、青色の蛍光体層と、を含むプラズマディスプレイパネルである。前面誘電体層と隔壁とは、外光反射を低減させるために共に減算混合法による補色関係を利用して着色したので、非放電領域にブラックストリップを形成しなくとも外光反射輝度を低減させてコントラストを向上させうる。【選択図】            図６
2005063943.tif 000002
【特許請求の範囲】
【請求項１】
前面基板と、
前記前面基板の下面に形成されたＸＹ電極と、
前記ＸＹ電極と連結されたバス電極と、
前記ＸＹ電極とバス電極とを埋め込む前面誘電体層と、
前記前面基板と対向するように設置された背面基板と、
前記背面基板の上面に形成されたアドレス電極と、
前記アドレス電極を埋め込む背面誘電体層と、
前記前面及び背面基板間に形成された隔壁と、
前記隔壁によって区画された放電空間内に塗布される赤色、緑色、青色の蛍光体層と、を含むものであって、
前記前面誘電体層と隔壁とは、外光反射を低減させるために共に着色されたことを特徴とする外光反射を減らしたプラズマディスプレイパネル。
【請求項２】
前記前面誘電体層と隔壁との色相は、減算混合法による補色関係を維持したことを特徴とする請求項１に記載の外光反射を減らしたプラズマディスプレイパネル。
【請求項３】
前記隔壁は、その上面が着色されたことを特徴とする請求項２に記載の外光反射を減らしたプラズマディスプレイパネル。
【請求項４】
前記隔壁は、全体的に着色されたことを特徴とする請求項２に記載の外光反射を減らしたプラズマディスプレイパネル。
【請求項５】
前面基板と、
前記前面基板の下面に形成され、所定間隔離隔されるようにストリップ状に配置されたバス電極と、
一対のバス電極の対向する一面に沿って配置され、放電セルを形成するＸＹ電極と、
前記バス電極とＸＹ電極とを埋め込む着色された前面誘電体層と、
前記前面基板と対向するように設置された背面基板と、
前記背面基板の上面に形成され、前記放電セルに位置したアドレス電極と、
前記アドレス電極を埋め込む背面誘電体層と、
前記前面及び背面基板間に形成され、着色の前面誘電体層と共に外光反射を低減させるために着色された隔壁と、
前記隔壁によって区画された放電空間内に塗布される赤色、緑色、青色の蛍光体層と、を含むことを特徴とする外光反射を減らしたプラズマディスプレイパネル。
【請求項６】
前記前面誘電体層と隔壁との色相は、減算混合法による補色関係を維持したことを特徴とする請求項５に記載の外光反射を減らしたプラズマディスプレイパネル。
【請求項７】
前記隔壁は、前記前面誘電体層と対向する上面が着色されたことを特徴とする請求項５に記載の外光反射を減らしたプラズマディスプレイパネル。
【請求項８】
前記隔壁は、全体的に着色されたことを特徴とする請求項５に記載の外光反射を減らしたプラズマディスプレイパネル。
【請求項９】
前記隔壁は、閉鎖型であることを特徴とする請求項５に記載の外光反射を減らしたプラズマディスプレイパネル。
【請求項１０】
前記隔壁は、前記バス電極と平行な方向に配置される横隔壁と、前記バス電極と直交する方向に配置される縦隔壁と、を備え、
前記横及び縦隔壁は、格子型よりなることを特徴とする請求項９に記載の外光反射を減らしたプラズマディスプレイパネル。
【発明の詳細な説明】
【技術分野】
【０００１】
本発明はプラズマディスプレイパネルに係り、さらに詳細には外光反射輝度を低減させるために誘電体層と隔壁との補色関係を利用したプラズマディスプレイパネルに関する。
【背景技術】
【０００２】
通常的に、プラズマディスプレイパネルは、複数の電極が形成された２つの基板間に放電ガスを注入して封入した後、複数の電極に放電電圧を印加し、この放電電圧によって気体が発光すれば、適切なパルス電圧を印加して２つの電極が交差する地点にアドレッシングして所望の数字、文字またはグラフを具現する表示装置である。このようなプラズマディスプレイパネルは、放電セルに印加する駆動電圧の形式、例えば放電形式によって直流型と交流型とに分類し、電極の構成形態によって対向放電型及び面放電型に区分できる。
【０００３】
図１は、通常的なプラズマディスプレイパネル１０の単位セルの断面構造を示す図面である。
【０００４】
図面を参照すれば、前記プラズマディスプレイパネル１０は、前面基板１１上に一対の維持電極１２が形成されており、前記維持電極１２上に前面誘電体層１３が形成されており、前記前面誘電体層１３の表面には保護膜層１４がコーティングされている。
【０００５】
前記前面基板１１と対向するように設置される背面基板１５上にはアドレス電極１６が形成されており、前記アドレス電極１６上に背面誘電体層１７が形成されており、前記背面誘電体層１７上に隔壁１８が形成されており、背面誘電体層１７の上部と隔壁１８の内側壁とに赤色、緑色、青色の蛍光体層１９が形成されている。
【０００６】
一方、前面及び背面基板１１，１５の結合された内側空間には不活性ガスを封じ込んで放電領域１００を形成している。
【０００７】
前記のような構造を有するプラズマディスプレイパネル１０の動作を簡略に説明すれば、次の通りである。
【０００８】
前記維持電極１２に駆動電圧を印加すれば、前記前面誘電体層１３と保護膜層１４の表面とで面放電が起こって紫外線が発生する。発生した紫外線によって周囲の蛍光体層１９の蛍光物質が励起されることにつれてカラーが表示される。
【０００９】
すなわち、放電セルの内部に存在する空間電荷は、印加された駆動電圧によって加速しつつ、放電セル内部に４００ないし５００Ｔｏｒｒ程度の圧力で充填された不活性混合ガスであるＮｅを主成分としてＨｅ、Ｘｅガスを添加したぺニング混合ガスと衝突する。
【００１０】
これにより、不活性ガスが励起されつつ１４７ｎｍの紫外線が発生する。このように発生した紫外線は、アドレス電極１６と隔壁１８との周囲を取り囲んでいる蛍光体層１９の蛍光物質と衝突することによって可視光を発生させる。
【００１１】
図２は、従来の一例によるプラズマディスプレイパネル２０の特徴部を示す図面である。
【００１２】
図面を参照すれば、前記プラズマディスプレイパネル２０には前面基板の下部にストリップ状のバス電極２１が所定間隔離隔されるように配置され、一対のバス電極２１間の非放電領域にはブラックストリップ２２が配置されている。前記バス電極２１及びブラックストリップ２２は、透明な誘電体層２３によって埋め込められている。
【００１３】
一方、背面基板の上部には格子型よりなる隔壁２４が形成されている。前記隔壁２４は、白色に形成され、隔壁２４のうち横隔壁２４ａは、前記ブラックストリップ２２と対応する位置で重畳されている。
【００１４】
図３は、従来の他の例によるプラズマディスプレイパネル３０の特徴部を示す図面である。
【００１５】
図面を参照すれば、前記プラズマディスプレイパネル３０には前面基板の下部にストリップ状のバス電極３１が配置されており、一対のバス電極３１間の非放電領域にはブラックストリップ３２が位置している。前記バス電極３１及びブラックストリップ３２は、透明な誘電体層３３によって埋め込められている。
【００１６】
一方、背面基板の上部には格子型よりなる隔壁３４が形成されており、横隔壁３４ａは、ブラックストリップ３２と対応する位置に重畳されている。前記隔壁３４は、白色の隔壁である。
【００１７】
この時、前記バス電極３１と直交する方向には赤色、緑色、青色別の色フィルタ３５Ｒ，３５Ｇ，３５Ｂが配置されている。
【００１８】
図４は、従来の他の例によるプラズマディスプレイパネル４０の特徴部を示す図面である。
【００１９】
図面を参照すれば、前記プラズマディスプレイパネル４０には前面基板の下部にストリップ状のバス電極４１が所定間隔離隔されるように位置し、一対のバス電極４１間の非放電領域にはブラックストリップ４２が配置されている。前記バス電極４１及びブラックストリップ４２は、着色誘電体層４３によって埋め込められている。
【００２０】
一方、背面基板の上部には格子型よりなる隔壁４４が形成されている。前記隔壁４４のうち横隔壁４４ａは、前記ブラックストリップ４２と重畳されている。前記隔壁４４は、白色の隔壁である。
【００２１】
図５は、従来の他の例によるプラズマディスプレイパネル５０の特徴部を示す図面である。
【００２２】
図面を参照すれば、前記プラズマディスプレイパネル５０には前面基板の下部にストリップ状のバス電極５１が所定間隔離隔されるように配置され、一対のバス電極５１間の非放電領域にはブラックストリップ５２が配置されている。前記バス電極５１及びブラックストリップ５２は、透明な誘電体層５３によって埋め込められている。
【００２３】
一方、背面基板の上部には格子型よりなる隔壁５４が形成されており、隔壁５４のうち横隔壁５４ａは、ブラックストリップ５２と対応する位置で相互重畳されている。このような隔壁５４は、黒色の隔壁である。
【００２４】
しかし、図２ないし図４に示された従来のプラズマディスプレイパネル２０ないし５０は、次のような問題点を有している。
【００２５】
第一に、外光反射を低減してコントラストを向上させるためには不透明なバス電極以外にブラックストリップをパターン化させているが、このようなブラックストリップは、非放電領域に適用されるので、バス電極の位置変更に限界がある。
【００２６】
第二に、色純度を向上させるために赤色、緑色、青色の放電セルに、これに対応する色相である赤色、緑色、青色のフィルタを追加的に設置しなければならない。
【００２７】
第三に、外光反射を低減させるために着色の誘電体層だけを使用する場合には外光反射の低減率が低い。
【００２８】
第四に、隔壁上部を黒色として反射輝度を低減させようとするが、輝度がほぼ１０％以上減少するという短所がある。
【発明の開示】
【発明が解決しようとする課題】
【００２９】
本発明は前記問題点を解決するためのものであり、前面基板の誘電体層と、背面基板の隔壁に補色関係を利用して外光を反射させうるように構造が改善された外光反射を減らしたプラズマディスプレイパネルを提供することにその目的がある。
【課題を解決するための手段】
【００３０】
前記目的を達成するために本発明の一側面による外光反射を減らしたプラズマディスプレイパネルは、前面基板と、前記前面基板の下面に形成されたＸＹ電極と、前記ＸＹ電極と連結されたバス電極と、前記ＸＹ電極とバス電極とを埋め込む前面誘電体層と、前記前面基板と対向するように設置された背面基板と、前記背面基板の上面に形成されたアドレス電極と、前記アドレス電極を埋め込む背面誘電体層と、前記前面及び背面基板間に形成された隔壁と、前記隔壁によって区画された放電空間内に塗布される赤色、緑色、青色の蛍光体層と、を含むものであって、前記前面誘電体層と隔壁とは、外光反射を低減させるために共に着色されたことを特徴とする。
【００３１】
また、前記前面誘電体層と隔壁との色相は、減算混合法による補色関係を維持したことを特徴とする。
【００３２】
本発明の他の側面による外光反射を減らしたプラズマディスプレイパネルは、前面基板と、前記前面基板の下面に形成され、所定間隔離隔されるようにストリップ状に配置されたバス電極と、一対のバス電極の対向する一面に沿って配置され、放電セルを形成するＸＹ電極と、前記バス電極と、ＸＹ電極を埋め込む着色された前面誘電体層と、前記前面基板と対向するように設置された背面基板と、前記背面基板の上面に形成され、前記放電セルに位置したアドレス電極と、前記アドレス電極を埋め込む背面誘電体層と、前記前面及び背面基板間に形成され、着色の前面誘電体層と共に外光反射を低減させるために着色された隔壁と、前記隔壁によって区画された放電空間内に塗布される赤色、緑色、青色の蛍光体層と、を含むことを特徴とする。
【００３３】
また、前記前面誘電体層と隔壁との色相は、減算混合法による補色関係を維持したことを特徴とする。
【発明の効果】
【００３４】
本発明の外光反射を減らしたプラズマディスプレイパネルは、次のような効果を得られる。
【００３５】
第一に、減算混合法による補色関係を利用して誘電体層と隔壁とに特定色相を着色したので、非放電領域にブラックストリップを形成しなくとも外光反射輝度を低減させてコントラストを向上させうる。
【００３６】
第二に、ユーザの目的によって多様な前面及び背面基板の色相の組み合わせが可能である。
【００３７】
第三に、隔壁に反射度が高い色相を着色するにつれて、赤色、緑色、青色の蛍光体から発光された光の損失を防止できる。
【００３８】
第四に、格子型隔壁を利用する場合には非放電領域にブラックストリップより広い面積を外光反射輝度の低減に利用できてコントラストが向上する。
【００３９】
第五に、前面基板の誘電体層の透過度を上げても、着色された隔壁との減算混合法によって外光反射を低減させうる。
【発明を実施するための最良の形態】
【００４０】
以下、添付された図面を参照しつつ本発明の望ましい実施の形態によるプラズマディスプレイパネルを詳細に説明する。
【００４１】
図６は、本発明の一実施の形態によるプラズマディスプレイパネル６０を示す図面である。
【００４２】
図面を参照すれば、前記プラズマディスプレイパネル６０には前面基板６１と、前記前面基板６１と対向するように配置される背面基板６１０が設けられている。
【００４３】
前記前面基板６１の下面には、所定間隔離隔されるようにバス電極６２が配置されている。前記バス電極６２は、ストリップ状に形成されている。隣接したバス電極６２には相互対向する方向に所定サイズのＸ電極６３と、Ｙ電極６４とが突出している。
【００４４】
前記Ｘ及びＹ電極６３，６４は、前記バス電極６２の長手方向に沿って所定間隔離隔されるように配置されており、対向するＸ電極６３とＹ電極６４とが配置された領域は一つの放電セルを形成している。また、放電セルをなすＸ及びＹ電極６３，６４が配置された一対のバス電極６２間の領域は非放電領域に該当される。
【００４５】
このようなＸ及びＹ電極６３，６４は、透明な導電膜であるＩＴＯ（Ｉｎｄｉｕｍ Ｔｉｎ Ｏｘｉｄｅ）膜よりなり、バス電極６２は、銀ペーストを利用してパターン化させることが望ましい。
【００４６】
前記前面基板６１の下面には前記バス電極６２とＸＹ電極６３，６４とを埋め込むために前面誘電体層６６が形成されている。前記前面誘電体層６６の表面には酸化マグネシウム膜のような保護膜層６７がコーティングされている。
【００４７】
前記背面基板６１０の上面には所定間隔離隔されるようにアドレス電極６２０が形成されている。前記アドレス電極６２０は、バス電極６２が形成される方向と直交する方向に配置されている。
【００４８】
前記アドレス電極６２０の上面には、これを埋め込むために背面誘電体層６３０が形成されている。
【００４９】
前記背面誘電体層６３０の上面には、放電空間を区画し、クロストークを防止するための隔壁６４０が形成されている。前記隔壁６４０は、前記アドレス電極６２０と直交する方向に配置された横隔壁６５０と、前記アドレス電極６２０と平行な方向に形成された縦隔壁６６０と、を含んでいる。前記縦隔壁６６０は、前記横隔壁６５０の両側壁に延びて格子型をなしている。代案としては、前記隔壁６４０は、ミアンダ状や、ストリップ状など放電空間を区画する形状であれば、格子型に限定されるものではない。
【００５０】
前記背面誘電体層６３０の上面と隔壁６４０の内側壁とには放電セル別に赤色、緑色、青色の蛍光体層６７０が形成されている。
【００５１】
本発明の特徴によれば、前記プラズマディスプレイパネル６０は、ブラックストリップを省略した状態で減算混合法を利用した補色関係によって外光反射を低減させる。
【００５２】
さらに詳細には、図７に示されたようになっている。
【００５３】
ここでは、本発明の特徴部を抜粋して示す。
【００５４】
図面を参照すれば、前面基板６１（図６を参照）の下面にはストリップ状のバス電極６２が形成されている。前記バス電極６２は、前面誘電体層６６によって埋め込められている。
【００５５】
一方、背面基板６１０の上面には格子型の隔壁６４０が形成されており、横隔壁６５０は、前記バス電極６２と平行な方向に配置されている。前記横隔壁６５０は、前記バス電極６２と直交する方向に配置されている。
【００５６】
この時、非放電領域にはブラックストリップが省略されており、前記前面誘電体層６６と隔壁６４０とは、減算混合法によって着色されている。
【００５７】
すなわち、減算混合法は、白色から何れか一つのカラー要素を減算してカラーを作る方法である。色料の３原色は、マゼンタ、黄色、シアンであるが、補色関係にある２色を混合すれば、灰色または黒色のような無彩色になる。赤色と藍色、緑色とだいだい色などの組み合わせがある。組み合わせは、３原色のうち一つずつを組み合わせる場合であり、補色の組み合わせは数え切れないほど多い。減算混合は、混合するほど明度、彩度が低下し、色相環で近距離混合は中間色になり、遠距離色相の混合は明度、彩度が低下して灰色に近く、補色同士の混合は黒色に近くなる属性を有している。このような減算混合は、光の吸収と選択的透過あるいは反射によって起るが、根本的には赤色吸収、緑色吸収、青色吸収が起るためである。これについては、色々な色相のフィルタを白色光線の光路に置くことによって分かる。
【００５８】
前記前面誘電体層６６と隔壁６４０とは、前述した減算混合法を利用して共に着色されるが、前記隔壁６４０の上部６４１（図６を参照）は、赤色、緑色、青色の蛍光体層６７０で発光された光が吸収されて輝度減少が発生することと、前記隔壁６４０で損失されることとを防止するために黒色以外の反射度の高い色相を採択する。そして、前記前面誘電体層６６は、発光された光の透過率低減を最小化する色相を採択する。
【００５９】
このような、前記隔壁６４０の上部６４１と前面誘電体層６６との色相は、相互に補色が組み合わせられて外光反射を低減してコントラストが向上すると言える。例えば、前記隔壁６４０の上部６４１は、反射度の高い色であるだいだい色を着色し、前記前面誘電体層６６は、その補色である青色を着色できる。
【００６０】
代案としては、前記隔壁６４０は上部６４１だけを着色させるのではなく、隔壁６４０全体を着色させることもできる。
【００６１】
前記のような構造を有するプラズマディスプレイパネル６０は、背面基板６１０を設けた後、基板６１０上に隔壁用元素材を均一に塗布する。隔壁用元素材は、上面が着色されている。着色された隔壁用元素材が塗布された基板上には、サンドブラストに対して耐性が大きい光感光性であるフォトレジストをコーティングする。
【００６２】
フォトレジストがコーティングされた隔壁用元素材の上部には、隔壁に相応するパターンを有するフォトマスクを整列し、フォトレジストに隔壁パターンを紫外線で露光する。露光された部分は、化学的に安定化される。これを現像すれば、上面が着色された隔壁のようなパターンがフォトレジストに形成される。
【００６３】
次いで、研磨剤を保存したサンドブラスト装置からノズルを通じて高圧で研磨剤を噴射すれば、噴射力によってフォトレジストが付着されていない部分が除去される。次いで、残されたフォトレジストを剥離した後に隔壁用元素材を焼成して上面６４１が着色された隔壁６４０を完成する。
【００６４】
本発明は図面に示された一実施の形態を参考として説明されたが、これは例示的なものに過ぎず、当業者なら、これから多様な変形及び均等な他の実施の形態が可能であることが分かる。したがって、本発明の真の技術的保護範囲は、特許請求の範囲の技術的思想によって決めらなければならない。
【産業上の利用可能性】
【００６５】
本発明は減算混合法による補色関係を利用して誘電体層と隔壁とに特定色相を着色した外光反射を減らしたプラズマディスプレイパネルを提供して、外光反射輝度を低減させてコントラストを向上させうる。
【図面の簡単な説明】
【００６６】
【図１】通常的なプラズマディスプレイパネルの単位セルの断面構造を示す断面図である。
【図２】従来の一例によるプラズマディスプレイパネルを示す平面図である。
【図３】従来の他の例によるプラズマディスプレイパネルを示す平面図である。
【図４】従来の他の例によるプラズマディスプレイパネルを示す平面図である。
【図５】従来の他の例によるプラズマディスプレイパネルを示す平面図である。
【図６】本発明の一実施の形態によるプラズマディスプレイパネルを示す分離斜視図である。
【図７】図６のプラズマディスプレイパネルを示す平面図である。
【符号の説明】
【００６７】
６０    プラズマディスプレイパネル
６１    前面基板
６２    バス電極
６３    Ｘ電極
６４    Ｙ電極
６６    前面誘電体層
６７    保護膜層
６１０    背面基板
６２０    アドレス電極
６３０    背面誘電体層
６４０    隔壁
６４１    上部
６５０    横隔壁
６６０    縦隔壁
６７０    蛍光体層
【図１】
2005063943.tif 000003
【図２】
2005063943.tif 000004
【図３】
2005063943.tif 000005
【図４】
2005063943.tif 000006
【図５】
2005063943.tif 000007
【図６】
2005063943.tif 000008
【図７】
2005063943.tif 000009